(57)【要約】【課題】回診用Ｘ線撮影装置によるＸ線撮影を行うとき、操作者は撮影の都度ベッド上の被検者の近傍でＸ線受光部およびＸ線管を適当な位置に配置し、可動絞りにより照射野を調整した後、台車に取り付けられたＸ線制御パネルおよびハンドスイッチを操作できる位置まで移動しなければならないが、病室に十分なスペースがあることは少ないので操作者はしばしば狭いスペースの中を移動しなければならないという不都合がある。【解決手段】Ｘ線撮影を行うとき操作者９はベッド８上の被検者６の近傍に位置して、被検者６とベッド８の間にＸ線受光部７を挿入配置した後、Ｘ線管４を撮影に適した位置に配置し、Ｘ線管４に取り付けられた可動絞り５を操作して照射野の調整を行った後、そのままの位置で可動絞り５のパネル面に取り付けられたＸ線制御パネル１１により撮影条件の設定およびＸ線曝射指示を行う。【選択図】          図１
2008173257.tif 000002
【特許請求の範囲】
【請求項１】
台車にＸ線管と高電圧発生器とＸ線制御手段を搭載し、病室を巡回してＸ線撮影を行う回診用Ｘ線撮影装置において、撮影条件の入力およびＸ線照射の指示を行う第一の撮影条件指示手段を設けるとともに、前記Ｘ線管の前面に取り付けられたＸ線可動絞りに第二の撮影条件指示手段を設けたことを特徴とする回診用Ｘ線撮影装置。
【請求項２】
前記第二の撮影条件指示手段は撮影条件を設定する設定部と、設定された撮影条件を表示する表示部と、Ｘ線照射指示を行うＸ線照射指示スイッチを有するパネルにより構成されることを特徴とする請求項１記載の回診用Ｘ線撮影装置。
【請求項３】
前記パネルはＸ線可動絞りに着脱可能に取り付けられることを特徴とする請求項２記載の回診用Ｘ線撮影装置。
【請求項４】
前記第二の撮影条件指示手段は撮影条件を設定する設定部と設定された撮影条件を表示する表示部を有するパネルと、Ｘ線照射指示を行うＸ線照射指示スイッチを有するハンドスイッチにより構成されることを特徴とする請求項１記載の回診用Ｘ線撮影装置。
【請求項５】
前記第二の撮影条件指示手段は撮影条件を設定する設定部とＸ線照射指示を行うＸ線照射指示スイッチを有するハンドスイッチと、撮影条件を表示する表示パネルにより構成されることを特徴とする請求項１記載の回診用Ｘ線撮影装置。
【請求項６】
前記パネルから前記Ｘ線制御手段の交信を無線で行う無線送受信手段を設けたことを特徴とする請求項３記載の回診用Ｘ線撮影装置。
【発明の詳細な説明】
【技術分野】
【０００１】
本発明は回診用Ｘ線撮影装置に関する。
【背景技術】
【０００２】
回診用Ｘ線撮影装置は病室を巡回してＸ線撮影を行うための装置である（例えば特許文献１参照）。以下一般的な回診用Ｘ線撮影装置について図８および図７を用いて説明する。ここで図８は病室で回診用Ｘ線撮影装置によりＸ線撮影を行うときの様子を説明するための図であり、図７は回診用Ｘ線撮影装置の電気回路のうちＸ線発生に関する部分を示すブロック図である。
【０００３】
Ｘ線撮影を行うとき操作者９は図８に示すようにベッド８上の被検者６の近傍に位置して、被検者６とベッド８の間にＸ線フィルムを内蔵したカセッテまたはフラットパネル型Ｘ線検出器により構成されるＸ線受光部７を挿入配置した後、車輪により走行可能に構成された台車１の前方に、回転可能に支持された支柱２によって、上下動可能に保持された、伸縮可能な腕３の先端に取り付けられたＸ線管４を撮影に適した位置に配置し、Ｘ線管４に取り付けられた可動絞り５を操作して照射野の調整を行う。
【０００４】
その後操作者９が台車１の操作ハンドル１９側に移動して、Ｘ線条件の設定を行う操作スイッチ部（図示しない）および設定された条件等を表示する表示部（図示しない）を有するＸ線制御パネル１０により撮影条件を設定した後、台車１に取り付けられた図７に示すハンドスイッチ２０を操作して、例えばマイクロコンピュータ等により構成されるＸ線制御部１４にＸ線曝射を指示すると、Ｘ線制御部１４は高電圧発生器１３によりＸ線管４に高電圧を印加してＸ線を照射させる。なおＸ線制御部１４および高電圧発生器１３は図８の台車１に内蔵されている。
【特許文献１】特開２００２−２３３５２１号公報
【発明の開示】
【発明が解決しようとする課題】
【０００５】
回診用Ｘ線撮影装置によるＸ線撮影の手順は上記のようなものであり、操作者は撮影の都度、ベッド上の被検者の近傍でＸ線受光部およびＸ線管を適当な位置に配置し、可動絞りにより照射野を調整した後、台車に取り付けられたＸ線制御パネルおよびハンドスイッチを操作できる位置まで移動しなければならないが、病室に十分なスペースがあることは少ないので操作者はしばしば狭いスペースの中を移動しなければならないという不都合がある。本発明はこのような不都合を解決するためのものである。
【課題を解決するための手段】
【０００６】
請求項１記載の発明は上記の目的を達成するために、台車にＸ線管と高電圧発生器とＸ線制御手段を搭載し、病室を巡回してＸ線撮影を行う回診用Ｘ線撮影装置において、前記Ｘ線制御手段と交信して撮影条件の入力およびＸ線照射の指示を行う第一の撮影条件指示手段を設けるとともに、前記Ｘ線管の前面に取り付けられたＸ線可動絞りに第二の撮影条件指示手段を設けた回診用Ｘ線撮影装置を提供する。
【０００７】
請求項２記載の発明は上記の目的を達成するために、第二の撮影条件指示手段は撮影条件を設定する設定部と、設定された撮影条件を表示する表示部と、Ｘ線照射指示を行うＸ線照射指示スイッチを有するパネルにより構成される請求項１記載の回診用Ｘ線撮影装置を提供する。
【０００８】
請求項３記載の発明は上記の目的を達成するために、パネルはＸ線可動絞りに着脱可能に取り付けられる請求項２記載の回診用Ｘ線撮影装置を提供する。
【０００９】
請求項４記載の発明は上記の目的を達成するために、第二の撮影条件指示手段は撮影条件を設定する設定部と、設定された撮影条件を表示する表示部を有するパネルと、Ｘ線照射指示を行うＸ線照射指示スイッチを有するハンドスイッチにより構成される請求項１記載の回診用Ｘ線撮影装置を提供する。
【００１０】
請求項５記載の発明は上記の目的を達成するために、第二の撮影条件指示手段は撮影条件を設定する設定部とＸ線照射指示を行うＸ線照射指示スイッチを有するハンドスイッチと撮影条件を表示する表示パネルにより構成される請求項１記載の回診用Ｘ線撮影装置を提供する。
【００１１】
請求項６記載の発明は上記の目的を達成するために、パネルとＸ線制御手段の交信を無線で行う無線送受信手段を設けた請求項３記載の回診用Ｘ線撮影装置を提供する。
【発明の効果】
【００１２】
本発明により回診用Ｘ線撮影装置を用いてＸ線撮影を行うとき、操作者はベッド上の被検者の近傍でＸ線受光部およびＸ線管を適当な位置に配置し、可動絞りにより照射野を調整した後、可動絞りに取り付けられたＸ線制御パネル等により撮影条件の設定およびＸ線曝射指示を行うことができるので、台車に取り付けられたＸ線制御パネルおよびハンドスイッチを操作できる位置まで移動する必要がなくなる。この結果操作者が撮影の都度病室内の狭いスペースの中を移動しなければならないという不都合が解消される。
【発明を実施するための最良の形態】
【００１３】
本発明の実施例について図１〜図４を用いて説明する。Ｘ線撮影を行うとき操作者９は図１に示すようにベッド８上の被検者６の近傍に位置して、被検者６とベッド８の間にＸ線フィルムを内蔵したカセッテまたはフラットパネル型Ｘ線検出器により構成されるＸ線受光部７を挿入配置した後、車輪により走行可能に構成された台車１の前方に、回転可能に支持された支柱２によって、上下動可能に保持された、伸縮可能な腕３の先端に取り付けられたＸ線管４を撮影に適した位置に配置し、Ｘ線管４に取り付けられた可動絞り５を操作して照射野の調整を行う。
【００１４】
その後操作者９が台車１の操作ハンドル１９側に移動することなくそのままの位置で、図２に示す可動絞り５のパネル面の一部を窪ませて形成されたパネル収納スペース５Ｃにはめ込んで固定され、Ｘ線条件の設定やＸ線曝射指示を行う操作スイッチ部１１Ａおよび設定された条件等を表示する表示部１１Ｂを有するＸ線制御パネル１１により撮影条件の設定およびＸ線曝射指示を行う。なお５Ａおよび５Ｂは可動絞り５の照射野の調整を行うための照射野調整つまみであるが、本発明と特に関係ないので説明は省略する。
【００１５】
図４に示すようにＸ線制御パネル１１は台車１（図１に示す）に取り付けられたＸ線制御パネル１０およびハンドスイッチ２０と同様に、例えばマイクロコンピュータ等により構成され台車１に内蔵されたＸ線制御部１４に接続されており、Ｘ線制御パネル１１により撮影条件が設定され、Ｘ線曝射が指示されても、Ｘ線制御パネル１０およびハンドスイッチ２０が操作されたときと同様に、Ｘ線制御部１４が高電圧発生器１３によりＸ線管４に高電圧を印加してＸ線撮影が実行される。なお撮影条件は１０、１１どちらのＸ線制御パネルにより設定されてもＸ線制御パネル１０の表示部（図示しない）およびＸ線制御パネル１１の表示部１１Ｂ（図２に示す）の両者に表示される。
【００１６】
またＸ線曝射指示を行うスイッチは上述のようにＸ線制御パネル１１の操作スイッチ部１１Ａに設けてもよいが、図４にハンドスイッチ２１として破線で示すようにＸ線制御パネル１１から独立させて、例えば可動絞り５の側面に取り付けてもよい。さらに図６に示すように、Ｘ線制御パネル１１の代わりにＸ線制御パネル１１から操作スイッチ部１１Ａを取り除いた表示パネル２２を取り付け、前記ハンドスイッチ２１の代わりに２〜３個のジョグダイヤル２３を備えたハンドスイッチ２４を取り付けて、ジョグダイヤル２３によりＸ線条件の設定を行えるようにしてもよい。なお図６において図２と同じ符号で示す部品等は図２と同じなので説明は省略する。
【００１７】
またＸ線制御パネル１１はパネルの裏面を覆うケースを有しており、かつＸ線制御パネル１１とＸ線制御部１４を結ぶケーブル１２は図３に示すようにＸ線制御パネル１１を可動絞り５のパネル収納スペース５Ｃから取り外して引き出せる長さを有しているので、操作者９はＸ線制御パネル１１をパネル収納スペース５Ｃから取り外し、手に持って操作することもできる。なお図３において図２と同じ符号で示す部品等は図２と同じなので説明は省略する。
【００１８】
さらに図５に示すようにＸ線制御部１４とＸ線制御パネル１１の間にそれぞれ無線信号送受信器１６および１７を設けて両者間の交信を無線で行ってもよい。なお無線信号送受信器１６は図１の台車１内に、無線信号送受信器１７は可動絞り５内にそれぞれ収納される。また図５において図４と同じ符号で示す部品等は図４と同じなので説明は省略する。
【産業上の利用可能性】
【００１９】
本発明は回診用Ｘ線撮影装置に関する。
【図面の簡単な説明】
【００２０】
【図１】本発明の回診用Ｘ線撮影装置の使用時の様子を説明するための図である。
【図２】本発明の回診用Ｘ線撮影装置の可動絞りのパネルを説明するための図である。
【図３】本発明の回診用Ｘ線撮影装置の可動絞りのパネルを説明するための図である。
【図４】本発明の回診用Ｘ線撮影装置のＸ線制御に関する電気回路のブロック図である。
【図５】本発明の回診用Ｘ線撮影装置のＸ線制御に関する電気回路のブロック図である。
【図６】本発明の回診用Ｘ線撮影装置の可動絞りのパネルとハンドスイッチについて説明するための図である。
【図７】従来の回診用Ｘ線撮影装置のＸ線制御に関する電気回路のブロック図である。
【図８】従来の回診用Ｘ線撮影装置の使用時の様子を説明するための図である。
【符号の説明】
【００２１】
１：台車
２：支柱
３：腕
４：Ｘ線管
５：可動絞り
５Ａ：照射野調整つまみ
５Ｂ：照射野調整つまみ
５Ｃ：パネル収納スペース
６：被検者
７：Ｘ線受光部
８：ベッド
９：操作者
１０：Ｘ線制御パネル
１１：Ｘ線制御パネル
１１Ａ：操作スイッチ部
１１Ｂ：表示部
１２：ケーブル
１３：高電圧発生器
１４：Ｘ線制御部
１６：無線信号送受信器
１７：無線信号送受信器
１９：操作ハンドル
２０：ハンドスイッチ
２１：ハンドスイッチ
２２：表示パネル
２３：ジョグダイヤル
２４：ハンドスイッチ
【図１】
2008173257.tif 000003
【図２】
2008173257.tif 000004
【図３】
2008173257.tif 000005
【図４】
2008173257.tif 000006
【図５】
2008173257.tif 000007
【図６】
2008173257.tif 000008
【図７】
2008173257.tif 000009
【図８】
2008173257.tif 000010